(57)【要約】      （修正有）【課題】光ディスク装置において、基板を回路部品の必要実装面積等に対応して縮小可能にする。【解決手段】操作ボタン１ａの操作変位または変位による操作指示信号を操作スイッチ側６ｂに伝える中継手段９を設け、中継手段９を介して操作ボタン１ａにより操作スイッチ６ｂの切換え動作を操作する。また、操作スイッチ６ｂと基板６との間を電気的に接続する接続手段を設け、操作ボタン１ａにより操作スイッチ６ｂを操作し、さらに接続手段を介して基板上における駆動信号の切換えを操作する構成とする。【選択図】  図２
2004241072.tif 000002
【特許請求の範囲】
【請求項１】
光ディスクに対し情報の記録、再生のいずれか一方または両方を行う光ディスク装置であって、
上記光ディスクを装置内に搬入または装置外に搬出するトレイと、
該トレイを移動変位させるトレイ駆動部と、
該トレイ駆動部を駆動する駆動信号を形成する駆動回路と、
該駆動回路が設けられた基板と、
上記トレイ駆動部への上記駆動信号の供給と停止を切換える操作スイッチと、フロントパネル側にあって該操作スイッチの該切換え動作を操作する操作ボタンと、
該操作ボタンの操作変位または該変位による操作指示信号を該操作スイッチ側に伝える中継手段と、
を備え、上記中継手段を介して上記操作ボタンにより上記操作スイッチの切換え動作を操作することで上記トレイを移動させディスクの搬入または搬出を行う構成としたことを特徴とする光ディスク装置。
【請求項２】
上記操作スイッチは、上記基板上に設けられ、
上記中継手段は、棒状部材で構成され、上記操作ボタンで押されたとき、外周部に係合した弾性材の復元力に抗して上記操作スイッチ側に移動変位する構成である請求項１に記載の光ディスク装置。
【請求項３】
上記トレイ駆動部は、上記トレイを移動変位させる駆動用モータを備え、
上記基板は、上記フロントパネルと反対側の装置側面に設けられた外部機器接続用コネクタと接続され、かつ、上記駆動モータの位置よりも該コネクタ寄りの領域に設けられる構成である請求項１に記載の光ディスク装置。
【請求項４】
光ディスクに対し情報の記録、再生のいずれか一方または両方を行う光ディスク装置であって、
上記光ディスクを装置内に搬入または装置外に搬出するトレイと、
該トレイを移動変位させるトレイ駆動部と、
該トレイ駆動部を駆動する駆動信号を形成する駆動回路と、
該駆動回路が設けられた基板と、
上記トレイ駆動部への上記駆動信号の供給と停止を切換える操作スイッチと、フロントパネル側にあって該操作スイッチの該切換え動作を操作する操作ボタンと、
上記操作スイッチと上記基板との間を電気的に接続する接続手段と、
を備え、上記操作ボタンにより上記操作スイッチを操作し上記接続手段を介して上記基板上で上記トレイ駆動部への上記駆動信号の供給と停止を切換え、トレイを移動させる構成としたことを特徴とする光ディスク装置。
【発明の詳細な説明】
【０００１】
【発明の属する技術分野】
本発明は、光ディスクに対し情報の記録、再生のいずれか一方または両方を行う光ディスク装置に関する。
【０００２】
【従来の技術】
従来の光ディスク装置の構成例を図４及び図５に示す。図４は外観図、図５は、図４の構成におけるＡ−Ａ断面の内部構成図である。図４、図５において、１’はフロントパネル、１ａ’は、フロントパネル１に取付けられた操作ボタン、２は記録媒体としての光ディスク、３’は、光ディスク２を装置内に搬入したり、装置外に搬出したりするトレイ、４’は上側装置カバー、５’は底面側装置カバー、６’は、トレイ３’を駆動する駆動信号を形成するための駆動回路などが設けられた基板、６ａ’はパーソナルコンピュータ（以下、パソコンという）を接続するためのコネクタ、６ｂ’は、トレイ３’を動作させる駆動部（図示なし）に対し基板６’上の駆動回路（図示なし）から駆動信号を供給したり停止したりする操作スイッチ、８’は装置支持体としてのフレームである。コネクタ６ａ’は、パソコンとの接続のために装置背面側に配されている。また、該操作スイッチ６ｂ’は、操作ボタン１ａ’の隣接位置に配され、該操作ボタン１ａ’に直接当接され、該操作ボタン１ａ’の操作変位に連動して切換え動作を行うようになっている。基板６’は、装置背面部からフロントパネル１’の位置にわたる寸法を有し、コネクタ６ａ’及び操作スイッチ６ｂ’は、該基板６’上に設けられている。かかる構成において、操作ボタン１ａ’が押されると、該操作ボタン１ａ’の変位に連動して操作スイッチ６ｂ’が動作し、基板６’上の駆動回路から駆動信号を、トレイ３’動作用の駆動部に対して供給させる。該駆動信号の供給により、トレイ３’が光ディスク２を、装置内の所定位置まで搬送したり、または、装置外に搬出したりする。
また、基板６’を分離型構成とし、一方の基板を装置背面側に配し、他方の基板をフロントパネル側に配し、両基板間を導線で接続するようにした構成のものがある。
上記の他、本発明に関連する従来技術としては、例えば、特開平５−６２３２０号公報（特許文献１）、特開２０００−９０６５７号公報（特許文献２）及び特開２００２−９３０１３号公報（特許文献３）に記載されたものがある。いずれの公報にも、基板６’としては、上記図４、図５の場合と同様、装置背面部からフロントパネル位置に至る寸法を有する構成のものが記載されている。
【０００３】
【特許文献１】
特開平５−６２３２０号公報
【特許文献２】
特開２０００−９０６５７号公報
【特許文献３】
特開２００２−９３０１３号公報
【０００４】
【発明が解決しようとする課題】
例えば上記図４、図５に示す従来技術では、操作スイッチ６ｂ’をフロントパネル１’側の操作ボタン１ａ’の隣接位置に配し、コネクタ６ａ’を装置背面側に配し、かつ、基板６’としては、該操作スイッチ６ｂ’と該コネクタ６ａ’とをその上に配置できるように、装置背面部からフロントパネル１’位置にわたる比較的大寸法のものを用いている。このため、装置の低コスト化や小型化を阻むおそれがある。コネクタ６ａ’を装置背面側に配する構成は、パソコン等の外部機器との接続の必要性がますます増大するため、不可欠である。また、回路部品の高集積化や高密度化は今後もさらに進む方向にあり、基板６’内における回路部品の必要実装面積はますます小さくなる方向にある。
本発明の課題点は、パソコン等の外部機器接続用のコネクタを装置背面側に配する構成の場合も、基板の寸法を回路部品の必要実装面積等に対応して縮小できるようにすることである。
本発明の目的は、かかる課題点を解決できる技術の提供にある。
【０００５】
【課題を解決するための手段】
上記課題点を解決するために、本発明では、基本的に、光ディスク装置において、操作ボタンの操作変位または該変位による操作指示信号を操作スイッチ側に伝える中継手段を設け、該中継手段を介して上記操作ボタンにより上記操作スイッチの切換え動作を操作する構成とする。また、操作スイッチと基板との間を電気的に接続する接続手段を設け、上記操作ボタンにより上記操作スイッチを操作し上記接続手段を介して上記基板上における駆動信号の切換えを操作する構成とする。具体的には、光ディスク装置として、（１）上記光ディスクを装置内に搬入または装置外に搬出するトレイ（該当実施例：符号３）と、該トレイを移動変位させるトレイ駆動部（該当実施例：符号１１、１２）と、該トレイ駆動部を駆動する駆動信号を形成する駆動回路と、該駆動回路が設けられた基板（該当実施例：符号６）と、上記トレイ駆動部への上記駆動信号の供給と停止を切換える操作スイッチ（該当実施例：符号６ｂ）と、フロントパネル（該当実施例：符号１）側にあって該操作スイッチの該切換え動作を操作する操作ボタン（該当実施例：符号１ａ）と、該操作ボタンの操作変位または該変位による操作指示信号を該操作スイッチ側に伝える中継手段（該当実施例：符号９）とを備え、上記中継手段を介して上記操作ボタンにより上記操作スイッチの切換え動作を操作することで上記トレイを移動させディスクの搬入または搬出を行う構成とする。（２）上記光ディスクを装置内に搬入または装置外に搬出するトレイ（該当実施例：符号３）と、該トレイを移動変位させるトレイ駆動部（該当実施例：符号１１、１２）と、トレイ駆動部を駆動する駆動信号を形成する駆動回路と、該駆動回路が設けられた基板（該当実施例：符号６）と、上記トレイ駆動部への上記駆動信号の供給と停止を切換える操作スイッチ（該当実施例：符号６ｂ）と、フロントパネル（該当実施例：符号１）側にあって該操作スイッチの該切換え動作を操作する操作ボタン（該当実施例：符号１ａ）と、上記操作スイッチと上記基板との間を電気的に接続する接続手段（該当実施例：符号２０）とを備え、上記操作ボタンにより上記操作スイッチを操作し上記接続手段を介して上記基板上で上記トレイ駆動部への上記駆動信号の供給と停止を切換え、トレイを移動させる構成とする。
【０００６】
【発明の実施の形態】
以下、本発明の実施例につき、図面を用いて説明する。
図１、図２は本発明の第１の実施例の説明図である。図１は、本発明の光ディスク装置の分解斜視図、図２は、図１の装置において操作ボタン、操作スイッチを通り装置背面側に至る部分の断面図である。
図１、図２において、１はフロントパネル、１ａは、フロントパネル１に取付けられた操作ボタン、２は記録媒体としての光ディスク、３は、光ディスク２を搬送するトレイ、４は上側装置カバー、５は底面側装置カバー、６は、トレイ３を駆動する駆動信号を形成する駆動回路などが実装された基板、６ａはパソコン等の外部機器を接続するための外部機器接続用コネクタ、６ｂは、トレイ３を動作させるトレイ駆動用モータ等のトレイ駆動部に対し基板６上の駆動回路（図示なし）から駆動信号を供給したり該供給を停止したりする操作スイッチ、８は装置支持体としてのフレーム、８ａはフレーム８に設けられたガイド穴、９は、操作ボタン１ａと操作スイッチ６ｂとの間に設けられ、該操作ボタン１ａの操作変位または該変位による操作指示信号を該操作スイッチ６ｂ側に伝える中継手段としての棒状部材、１０は、棒状部材９の外周部に係合されたコイル状のばね、１１は、トレイ３を移動変位させるトレイ駆動用モータ、１２は、回転によりトレイ３を移動変位させるトレイ移動用ねじである。外部機器接続用コネクタ６ａは、パソコン等外部機器との接続のために装置背面側に配されている。また、操作スイッチ６ｂは、棒状部材９の先端部側に配され、操作ボタン１ａから離れた位置で基板６上に配されている。操作ボタン１ａには棒状部材９の根元側端部が当接され、該操作ボタン１ａの操作変位が該棒状部材９を介して上記操作スイッチ６ｂに伝えられる。操作スイッチ６ｂは操作ボタン１ａの該操作変位に連動して動作し、トレイ駆動用モータ等のトレイ駆動部に対し基板６上の駆動回路（図示なし）から駆動信号を供給したり該供給を停止したりする。基板６は、装置背面部から略操作スイッチ６ｂの位置に至る寸法を有し、装置背面側において外部機器接続用コネクタ６ａと接続され、かつ、駆動モータ１１の位置よりも該コネクタ６ａ寄りの領域に設けられる。棒状部材９に係合されたコイル状のばね１０は、その弾性復元力により該棒状部材９の根元側端部を操作ボタン１ａに当接させている。かかる構成において、操作ボタン１ａが押されると、棒状部材９がばね１０の弾性復元力に抗して操作スイッチ６ｂ側に移動変位し、該棒状部材９の先端部が操作スイッチ６ｂに接し操作変位または該変位による操作指示信号を該操作スイッチ６ｂに伝え該操作スイッチ６ｂを動作させる。操作スイッチ６ｂは該動作により、基板６上の駆動回路から駆動信号をトレイ駆動用モータ１１等トレイ駆動部に対して供給させる。該駆動信号の供給によりトレイ駆動部ではトレイ駆動用モータ１１が回転駆動され、トレイ移動用ねじ１２が駆動されてトレイ３が移動変位し、光ディスク２を、装置内の所定位置まで搬入したり、装置外に搬出したりする。
【０００７】
上記第１の実施例によれば、基板６の寸法を回路部品の必要実装面積等に対応して縮小させることができるため、高密度実装技術や高集積化技術を有効に利用でき、装置の低コスト化や小型化を図り易い。また、トレイ駆動用モータ１１等トレイ駆動部が基板６によって覆われない構成にできるため、装置の組立てや調整の作業がし易い。
なお、図１、図２の構成では、操作ボタン１ａの操作変位または該変位による操作指示信号を該操作スイッチ６ｂ側に伝える中継手段として棒状部材９を用いる構成としたが、本発明はこれに限定されることなく、該中継手段として別のものを用いるようにしてもよい。
【０００８】
図３は本発明の第２の実施例の説明図である。本第２の実施例は、操作スイッチをフロントパネルの近傍に配し、該操作スイッチと基板との間を、接続手段を介して結合するようにした場合の例である。図３は、上記図２と同様、操作ボタン、操作スイッチを通り装置背面側に至る部分の断面を示す。
図３において、上記図２と同様の構成部分には、該図２の場合と同じ符号を付す。２０は、操作スイッチ６ｂと基板６との間を電気的に接続する接続手段としての導線である。操作スイッチ６ｂは、操作ボタン１ａの隣接位置に配され、該操作ボタン１ａに直接当接され、該操作ボタン１ａの操作変位に連動して動作するようになっている。かかる構成において、操作ボタン１ａが操作されると、該操作ボタン１ａの操作変位または該変位による操作指示信号が操作スイッチ６ｂに伝えられる。該操作スイッチ６ｂは、導線２０を介し、基板６上の駆動回路から駆動信号をトレイ駆動用モータ１１等トレイ駆動部に対して供給させたり、該供給を停止させたりする。該駆動信号の供給により、トレイ駆動部ではトレイ駆動用モータ１１が回転駆動され、トレイ移動用ねじ１２が駆動されてトレイ３が移動変位し、光ディスク２を、装置内の所定位置まで搬入したり、装置内から装置外に搬出したりする。
【０００９】
上記第２の実施例によっても、基板６の寸法を回路部品の必要実装面積等に対応して縮小させることができるため、高密度実装技術や高集積化技術を有効に利用して装置の低コスト化や小型化を図り易い。トレイ駆動用モータ１１等トレイ駆動部が基板６によって覆われない構成にできるため、装置の組立てや調整の作業がし易い。また、基板６と操作スイッチ６ｂとの間を導線で接続する構成のため、簡易な構成とすることができる。さらに、操作スイッチ６ｂを基板６上には設けない構成のため、装置の設計をし易い。
【００１０】
【発明の効果】
本発明によれば、基板寸法の小型化および低コスト化を図ることが可能となる。
【図面の簡単な説明】
【図１】本発明の第１の実施例としての光ディスク装置の分解斜視図である。
【図２】図１の構成における要部断面図である。
【図３】本発明の第２の実施例の要部断面図である。
【図４】従来の光ディスク装置の外観図である。
【図５】図４の光ディスク装置の要部断面図である。
【符号の説明】
１、１’…フロントパネル、  １ａ、１ａ’…操作ボタン、  ２…光ディスク、３、３’…トレイ、  ４、４’…上側装置カバー、  ５、５’…底面側装置カバー、  ６、６’…基板、  ６ａ、６ａ’…外部機器接続用コネクタ、  ６ｂ、６ｂ’…操作スイッチ、  ８、８’…フレーム、  ８ａ…ガイド穴、  ９…棒状部材、１０…ばね、  １１…トレイ駆動用モータ、  １２…トレイ移動用ねじ、  ２０…導線。
【図１】
2004241072.tif 000003
【図２】
2004241072.tif 000004
【図３】
2004241072.tif 000005
【図４】
2004241072.tif 000006
【図５】
2004241072.tif 000007